(57)【要約】【課題】意匠性に優れた木質床板及びその製造方法ならびに建物用床を提供すること。【解決手段】木質床板１は下地基板２と複数の木質ブロック板３とを有する。下地基板２は一対の基板長辺と一対の基板短辺とを有する。木質ブロック板３は一対のブロック板側辺と一対のブロック板斜辺とを有する。一対のブロック板斜辺には、それぞれ斜辺雄実部３２１及び斜辺雌実部３２２が形成されている。複数の木質ブロック板３は、ブロック板斜辺同士が対向すると共に、ブロック板側辺同士が直線状につながる。両端に配されたブロック板斜辺は、基板短辺に沿って配置されている。斜辺雄実部３２１と斜辺雌実部３２２とが実接合している。短辺雄実部１３１は、一端に配された木質ブロック板３の斜辺雄実部３２１からなり、短辺雌実部１３２は、他端に配された木質ブロック板３の斜辺雌実部３２２からなる。【選択図】図１
2020040314.tif 000002
【特許請求の範囲】
【請求項１】
下地基板と、
該下地基板の上面に並列配置されて接合された複数の木質ブロック板と、を有する木質床板であって、
上記下地基板は、上面から見た形状において、長尺形状を有すると共に、長手方向に平行な一対の基板長辺と、該一対の基板長辺に対して傾斜した互いに平行な一対の基板短辺とを有し、
上記木質ブロック板は、意匠面となる上面から見た形状において、上記下地基板の上記基板長辺に沿った一対のブロック板側辺と、該ブロック板側辺に対して傾斜して互いに平行な一対のブロック板斜辺とを有し、
一対の該ブロック板斜辺には、それぞれ斜辺雄実部及び斜辺雌実部が形成されており、
複数の上記木質ブロック板は、上記ブロック板斜辺同士が対向すると共に、上記ブロック板側辺同士が直線状につながるように、上記下地基板上に配列されており、
かつ、配列方向の両端に配された上記木質ブロック板の一方の上記ブロック板斜辺は、上記下地基板の上記基板短辺に沿って配置されており、
配列方向に隣り合う上記木質ブロック板同士は、上記斜辺雄実部と上記斜辺雌実部とが実接合しており、
一対の床板短辺の一方と他方とに沿って、それぞれ短辺雄実部と短辺雌実部とを有し、
上記短辺雄実部は、配列方向の一端に配された上記木質ブロック板の上記斜辺雄実部からなり、上記短辺雌実部は、配列方向の他端に配された上記木質ブロック板の上記斜辺雌実部からなる、木質床板。
【請求項２】
上記長手方向に隣り合う上記木質ブロック板同士の間には、上記ブロック板斜辺に沿って形成された表層溝部が形成されている、請求項１に記載の木質床板。
【請求項３】
請求項１又は２に記載の木質床板を、上記長手方向及び短手方向に複数枚継ぎ合わせて形成した建物用床であって、
上記長手方向に隣り合う上記木質床板同士は、上記短辺雄実部と上記短辺雌実部とを実接合されており、
上記下地基板の短手方向に隣り合う上記木質床板同士は、上記長手方向に対する上記床板短辺の傾斜方向が互いに逆である、建物用床。
【請求項４】
上記床板短辺同士の継ぎ目は、その少なくとも一端において、他の上記継ぎ目とつながらないように配置されている、請求項３に記載の建物用床。
【請求項５】
請求項１又は２に記載の木質床板を製造する方法であって、
上記下地基板と、複数の上記木質ブロック板とを作製し、
複数の上記木質ブロック板を、上記斜辺雄実部と上記斜辺雌実部とを実接合させつつ、上記下地基板の上面に貼着する、木質床板の製造方法。
【請求項６】
複数の上記木質ブロック板を作製するにあたっては、
長尺のブロック板素材の素材長辺に、実加工を施すことで、長尺の素材雄実部及び長尺の素材雌実部を形成した後、
上記ブロック板素材を、その素材長手方向及び素材短手方向に対して傾斜した互いに平行な傾斜面にて切断して、
上記素材雄実部の一部及び上記素材雌実部の一部を上記斜辺雄実部及び上記斜辺雌実部として備えた複数の上記木質ブロック板を作製する、請求項５に記載の木質床板の製造方法。
【発明の詳細な説明】
【技術分野】
【０００１】
本発明は、木質床板及びその製造方法ならびに建物用床に関する。
【背景技術】
【０００２】
建物用床において、例えば、特許文献１に開示されているように、いわゆるヘリンボーン調の模様を形成したものがある。すなわち、表層の木目を、複数の板材の並び方向に対して傾斜させると共に、傾斜方向が互いに異なる板材同士を、その短手方向に隣り合うように（すなわち、長辺同士を突き合わせるように）配置して、建物用床を形成している。これにより、短手方向に隣り合う板材の継ぎ目（すなわち、長辺同士の継ぎ目）を境にして、表層の木目の向きが逆となる、いわば魚（ニシン）の骨のような模様である、ヘリンボーン調の模様が、建物用床の意匠面に表れる。
【先行技術文献】
【特許文献】
【０００３】
【特許文献１】意匠登録第１５２５０１６号公報
【発明の概要】
【発明が解決しようとする課題】
【０００４】
しかしながら、特許文献１に開示された構成床板体は、長方形状を有する。それゆえ、長手方向に隣り合う構成床板体同士の間に、長手方向に直交する方向の継ぎ目が表れる。この継ぎ目は、ヘリンボーンの斜めの木目を分断するように形成される。その結果、ヘリンボーン調の意匠性を阻害するおそれもある。
【０００５】
また、上述のようなヘリンボーン調の建物用床を形成するにあたり、その風合いや、高級感を出すためには、表層にも、ある程度の厚みのある挽板等を用いることが望まれる。その一方で、多数の独立した挽板等を、建築現場等において組み合わせて、ヘリンボーン調の模様が表れるように施工することは、時間も手間もかかり、好ましくない。
【０００６】
本発明は、かかる背景に鑑みてなされたものであり、意匠性に優れた木質床板及びその製造方法ならびに建物用床を提供しようとするものである。
【課題を解決するための手段】
【０００７】
本発明の一態様は、下地基板と、
該下地基板の上面に並列配置されて接合された複数の木質ブロック板と、を有する木質床板であって、
上記下地基板は、上面から見た形状において、長尺形状を有すると共に、長手方向に平行な一対の基板長辺と、該一対の基板長辺に対して傾斜した互いに平行な一対の基板短辺とを有し、
上記木質ブロック板は、意匠面となる上面から見た形状において、上記下地基板の上記基板長辺に沿った一対のブロック板側辺と、該ブロック板側辺に対して傾斜して互いに平行な一対のブロック板斜辺とを有し、
一対の該ブロック板斜辺には、それぞれ斜辺雄実部及び斜辺雌実部が形成されており、
複数の上記木質ブロック板は、上記ブロック板斜辺同士が対向すると共に、上記ブロック板側辺同士が直線状につながるように、上記下地基板上に配列されており、
かつ、配列方向の両端に配された上記木質ブロック板の一方の上記ブロック板斜辺は、上記下地基板の上記基板短辺に沿って配置されており、
配列方向に隣り合う上記木質ブロック板同士は、上記斜辺雄実部と上記斜辺雌実部とが実接合しており、
一対の床板短辺の一方と他方とに沿って、それぞれ短辺雄実部と短辺雌実部とを有し、
上記短辺雄実部は、配列方向の一端に配された上記木質ブロック板の上記斜辺雄実部からなり、上記短辺雌実部は、配列方向の他端に配された上記木質ブロック板の上記斜辺雌実部からなる、木質床板にある。
【０００８】
本発明の他の態様は、上記木質床板を、上記長手方向及び短手方向に複数枚継ぎ合わせて形成した建物用床であって、
上記長手方向に隣り合う上記木質床板同士は、上記短辺雄実部と上記短辺雌実部とを実接合されており、
上記下地基板の短手方向に隣り合う上記木質床板同士は、上記長手方向に対する上記床板短辺の傾斜方向が互いに逆である、建物用床にある。
【０００９】
本発明のさらに他の態様は、上記木質床板を製造する方法であって、
上記下地基板と、複数の上記木質ブロック板とを作製し、
複数の上記木質ブロック板を、上記斜辺雄実部と上記斜辺雌実部とを実接合させつつ、上記下地基板の上面に貼着する、木質床板の製造方法にある。
【発明の効果】
【００１０】
上記木質床板において、上記下地基板は、一対の基板長辺と、該一対の基板長辺に対して傾斜した互いに平行な一対の基板短辺とを有する。そして、配列方向の両端に配された上記木質ブロック板の一方のブロック板斜辺は、基板短辺に沿って配置されている。これにより、複数の木質床板を並べて建物用床を構成したとき、長手方向の継ぎ目（すなわち床板短辺同士の継ぎ目）も、木質ブロック板のブロック板斜辺と平行に形成されることとなる。これにより、ヘリンボーン調の模様が、木質床板の継ぎ目で分断されることを防ぐことができる。その結果、全体として、ヘリンボーン調の模様が連続的に自然に表れた、意匠性に優れた建物用床を得ることができる。
【００１１】
また、上記木質床板は、下地基板の上面に、複数の木質ブロック板を配置してなる。これにより、木質床板の上面（すなわち意匠面）に、厚みを有する複数の木質ブロック板の表面を表出させることができる。これにより、木質床板の意匠性を向上させやすい。
【００１２】
また、１枚の木質床板が、複数の木質ブロック板を備えるため、建物用床を施工する際、建築現場等における作業効率を向上させることができる。
また、配列方向の両端に配された木質ブロック板の斜辺雄実部と斜辺雌実部が、木質床板の短辺雄実部と短辺雌実部とになる。そのため、木質床板の床板短辺同士の継ぎ目の構造を、木質床板内における木質ブロック板同士の継ぎ目と略同様にすることができる。その結果、木質床板の床板短辺同士の継ぎ目が目立つことを抑制することができる。
【００１３】
また、上記建物用床は、上記木質床板を複数枚継ぎ合わせて形成したものであるため、意匠性に優れている。
【００１４】
また、上記木質床板の製造方法においては、複数の木質ブロック板を、斜辺雄実部と斜辺雌実部とを実接合させつつ、下地基板の上面に貼着する。これにより、意匠性に優れた木質床板を容易に製造することができる。
【００１５】
以上のごとく、本発明によれば、意匠性に優れた木質床板及びその製造方法ならびに建物用床を提供することができる。
【図面の簡単な説明】
【００１６】
【図１】実施形態１における、木質床板の断面説明図であり、図２のＩ−Ｉ線矢視断面図。
【図２】実施形態１における、木質床板の平面説明図。
【図３】実施形態１における、下地基板の平面説明図。
【図４】実施形態１における、木質ブロック板の平面説明図。
【図５】図４のＶ−Ｖ線矢視断面図。
【図６】実施形態１における、第１の木質床板の平面説明図。
【図７】実施形態１における、第２の木質床板の平面説明図。
【図８】図６のVIII−VIII線矢視断面説明図。
【図９】図６のIX−IX線矢視断面説明図。
【図１０】実施形態１における、建物用床の平面説明図。
【図１１】実施形態１における、大判の積層板を作製する段階の斜視説明図。
【図１２】実施形態１における、長尺積層板を作製する段階の斜視説明図。
【図１３】実施形態１における、ブロック板素材を作製する段階の斜視説明図。
【図１４】実施形態１における、ブロック板素材に実加工した段階の斜視説明図。
【図１５】実施形態１における、ブロック板素材に切断線を付した平面説明図。
【図１６】実施形態１における、ブロック板素材を切断して得られた多数の木質ブロック板を並べた平面説明図。
【図１７】実施形態１における、木質ブロック板を下地基板上に配置する段階の断面説明図。
【図１８】実施形態１における、長辺雄実部及び長辺雌実部を形成した段階の平面説明図。
【図１９】実施形態１における、長手方向に隣り合う木質床板の継ぎ目部分の断面説明図。
【図２０】実施形態２における、建物用床の平面説明図。
【発明を実施するための形態】
【００１７】
本明細書においては、木質床板等について、施工した状態の姿勢において、上、下となる向きを、それぞれ、上、下として説明する。つまり、例えば、木質床板の上面は、建物用床の上面であり、意匠面でもある。
【００１８】
上記長手方向に隣り合う上記木質ブロック板同士の間には、上記ブロック板斜辺に沿って形成された表層溝部が形成されているものとすることができる。この場合には、複数の表層溝部によって、ヘリンボーン調の模様をより際立たせることができる。その結果、木質床板を用いた建物用床の意匠性をより向上させることができる。
【００１９】
上記建物用床において、上記床板短辺同士の継ぎ目は、その少なくとも一端において、他の上記継ぎ目とつながらないように配置されているものとすることができる。この場合には、より意匠性に優れた建物用床を得ることができる。すなわち、上記継ぎ目が広範囲にわたって連続することを防ぐことができる。その結果、床板短辺同士の継ぎ目が目立つことを一層抑制し、意匠性に優れたヘリンボーン調の建物用床を容易に形成することができる。
【００２０】
複数の上記木質ブロック板を作製するにあたっては、長尺のブロック板素材の素材長辺に、実加工を施すことで、長尺の素材雄実部及び長尺の素材雌実部を形成した後、上記ブロック板素材を、その素材長手方向及び素材短手方向に対して傾斜した互いに平行な傾斜面にて切断して、上記素材雄実部の一部及び上記素材雌実部の一部を上記斜辺雄実部及び上記斜辺雌実部として備えた複数の上記木質ブロック板を作製することもできる。この場合には、斜辺雄実部及び斜辺雌実部の実加工を効率的かつ容易に行うことができる。その結果、意匠性に優れた木質床板を生産性良く製造することができる。
【００２１】
（実施形態１）
木質床板及びその製造方法ならびに建物用床の実施形態につき、図１〜図１８を用いて説明する。
本実施形態の木質床板１は、図１、図２に示すごとく、下地基板２と、複数の木質ブロック板３と、を有する。複数の木質ブロック板３は、下地基板２の上面に並列配置されて接合されている。なお、特に図１は、便宜的に、木質ブロック板３等の厚みを大きくして描いてある。
【００２２】
下地基板２は、図３に示すごとく、上面から見た形状において、長尺形状を有する。そして、下地基板２は、長手方向Ｘに平行な一対の基板長辺２１と、一対の基板長辺２１に対して傾斜した互いに平行な一対の基板短辺２２とを有する。
【００２３】
木質ブロック板３は、図２に示すごとく、意匠面となる上面から見た形状において、下地基板２の基板長辺２１に沿った一対のブロック板側辺３１と、ブロック板側辺３１に対して傾斜して互いに平行な一対のブロック板斜辺３２とを有する。
【００２４】
一対のブロック板斜辺３２には、それぞれ斜辺雄実部３２１及び斜辺雌実部３２２が形成されている。
複数の木質ブロック板３は、ブロック板斜辺３２同士が対向すると共に、ブロック板側辺３１同士が直線状につながるように、下地基板２上に配列されている。
【００２５】
配列方向の両端に配された木質ブロック板３の一方のブロック板斜辺３２は、下地基板２の基板短辺２２に沿って配置されている。
配列方向に隣り合う木質ブロック板３同士は、斜辺雄実部３２１と斜辺雌実部３２２とが実接合している。
【００２６】
木質床板１は、一対の床板短辺１３の一方と他方とに沿って、それぞれ短辺雄実部１３１と短辺雌実部１３２とを有する。
短辺雄実部１３１は、配列方向の一端に配された木質ブロック板３の斜辺雄実部３２１からなる。短辺雌実部１３２は、配列方向の他端に配された木質ブロック板３の斜辺雌実部３２２からなる。
【００２７】
なお、基板長辺２１に平行な方向である、下地基板２の長手方向を、適宜、単に長手方向Ｘともいう。また、下地基板２の短手方向も、適宜、単に短手方向Ｙともいう。長手方向Ｘと短手方向Ｙとは、木質床板１の上面の法線方向から見たときの、下地基板２の長手方向と短手方向とである。長手方向Ｘ及び短手方向Ｙは、木質床板１の上面の法線方向、すなわち木質床板１の厚み方向に直交する。この木質床板１の厚み方向を、単に厚み方向Ｚともいう。
【００２８】
図５に示すごとく、各木質ブロック板３は、合板３０１と、合板３０１の上面に順次積層した中板３０２及び木質表層板３０３とを有する。木質表層板３０３は、例えば、厚み１．８〜２．１ｍｍ程度の挽板からなる。また、合板３０１の下面には、裏貼単板３０４が積層されている。これらの板材は、それぞれ接着材を介して、互いに接着されている。
【００２９】
図１、図２に示すごとく、木質床板１において、長手方向Ｘに隣り合う木質ブロック板３同士の間には、ブロック板斜辺３２に沿って形成された表層溝部１１が形成されている。表層溝部１１は、木質ブロック板３のブロック板斜辺３２に垂直な断面において、略Ｖ字形状を有する。表層溝部１１の深さは、木質表層板３０３の厚みよりも浅い。つまり、表層溝部１１は、中板３０２に到達していない。また、表層溝部１１の深さは、木質表層板３０３の厚みの半分以上である。
【００３０】
また、木質ブロック板３は、ブロック板斜辺３２における上面側角部に、テーパ面３３を有する。隣り合う木質ブロック板３のテーパ面３３が、木質ブロック板３同士の継ぎ目にて合されることで、上述の断面略Ｖ字形状の表層溝部１１が形成される。
【００３１】
図２、図４においては省略したが、木質床板１は、図６〜図９に示すごとく、一対の床板長辺１２の一方と他方とに、それぞれ長辺雄実部１２１と長辺雌実部１２２とを有する。
【００３２】
図６、図７に示すごとく、木質床板１としては、互いに略鏡像関係の形状を有する第１の木質床板１ａと、第２の木質床板１ｂとがある。第１の木質床板１ａと、第２の木質床板１ｂとを組み合わせて、下記のフレンチヘリンボーン調の建物用床１０を形成する。
【００３３】
すなわち、図１０に示すごとく、木質床板１を、長手方向Ｘ及び短手方向Ｙに複数枚継ぎ合わせて形成して、建物用床１０が構築される。短手方向Ｙに隣り合う木質床板１同士は、床板長辺１２に対する床板短辺１３の傾斜方向が互いに逆である。つまり、第１の木質床板１ａと第２の木質床板１ｂとを、短手方向Ｙに隣り合わせるように、配置する。
【００３４】
図６に示すごとく、第１の木質床板１ａは、互いの間に鈍角の角部１４１を形成する床板長辺１２と床板短辺１３とに、それぞれ、長辺雄実部１２１と短辺雄実部１３１とを形成している。そして、第１の木質床板１ａは、互いの間に鈍角の角部１４２を形成する他の床板長辺１２と床板短辺１３とに、それぞれ、長辺雌実部１２２と短辺雌実部１３２とを形成している。
【００３５】
図７に示すごとく、第２の木質床板１ｂは、互いの間に鋭角の角部１４３を形成する床板長辺１２と床板短辺１３とに、それぞれ、長辺雄実部１２１と短辺雄実部１３１とを形成している。そして、第２の木質床板１ｂは、互いの間に鋭角の角部１４４を形成する他の床板長辺１２と床板短辺１３とに、それぞれ、長辺雌実部１２２と短辺雌実部１３２とを形成している。
【００３６】
これにより、第１の木質床板１ａの長辺雌実部１２２に、第２の木質床板１ｂの長辺雄実部１２１を嵌入して、実接合する。また、第２の木質床板１ｂの長辺雌実部１２２に、他の第１の木質床板１ａの長辺雄実部１２１を嵌入して、実接合する。
【００３７】
また、長手方向Ｘにおいては、第１の木質床板１ａ同士、及び第２の木質床板１ｂ同士を、互いに実接合して、連結する。
また、図１０に示すごとく、床板短辺１３同士の継ぎ目１３０は、その少なくとも一端において、他の継ぎ目１３０とつながらないように配置されている。本形態においては、継ぎ目１３０の一端が、他の継ぎ目１３０とつながり、継ぎ目１３０の他端は、他の継ぎ目１３０とつながらないようにずれている。
【００３８】
すなわち、特定の一つの木質床板１に着目したとき、当該木質床板１に対して、短手方向Ｙの一方に隣接する木質床板１との間は、床板長辺１２同士が長手方向Ｘにずれないように接合されている。一方、当該木質床板１に対して、短手方向Ｙの一方に隣接する木質床板１との間は、床板長辺１２同士が長手方向Ｘにずれるように接合されている。ただし、他の継ぎ目１３０とつながっていない継ぎ目１３０の一端は、他方の木質床板１の表層溝部１１とつながっている。
【００３９】
このようにして、図１０に示すごとく、フレンチヘリンボーン調の建物用床１０が構築される。なお、図１０は、継ぎ目１３０を、表層溝部１１よりも太い線にて描いているが、これは便宜的なものである。継ぎ目１３０の幅と表層溝部１１の幅とは、略同等であることが、意匠性の観点からは望ましい。後述する図２０においても、同様である。
【００４０】
次に、木質床板１を製造する方法につき、図１１〜図１８を用いて説明する。
まず、木質床板１の製造方法の一部を、概略として説明する。
下地基板２（図３参照）と、複数の木質ブロック板３（図１６参照）とを、それぞれ作製する。そして、図１７に示すごとく、複数の木質ブロック板３を、斜辺雄実部３２１と斜辺雌実部３２２とを実接合させつつ、下地基板２の上面に貼着する。
【００４１】
次に、木質床板１の製造方法の具体例を、より詳細に説明する。
まず、図１１〜図１６に示すごとく、木質ブロック板３を製造するにあたり、合板３０１の表裏に、それぞれ中板３０２と裏貼単板３０４とを貼着する。ここでは、１枚の合板３０１に対して、その長手方向に並ぶように、２枚の中板３０２を貼着する。中板３０２は、例えば、厚み１ｍｍ程度の単板を用いることができる。
【００４２】
１枚の合板３０１の上面に対して、２枚の中板３０２を、合板３０１の長手方向Ｘに並べて積層して、貼着する。また、１枚の合板３０１の下面に対して、３枚の裏貼単板３０４を短手方向Ｙに並べて積層して、貼着する。これにより、大判の積層板を得る。
【００４３】
そして、中板３０２の繊維方向は、合板３０１の２つの表層の繊維方向に対して、交差するような方向としてある。本形態において、中板３０２の繊維方向は、合板３０１の表層の繊維方向に対して、略直交している。
【００４４】
次に、図１２に示すごとく、大判の積層板を、その長手方向に沿って切断して、長尺積層板３００を得る。この長尺積層板３００の上面に、図１３に示すごとく、長尺の木質表層板３０３を貼着する。これにより、長尺のブロック板素材３９を得る。
【００４５】
その後、図１４に示すごとく、長尺のブロック板素材３９の素材長辺に、実加工を施すことで、長尺の素材雄実部３９１及び長尺の素材雌実部３９２を形成する。その後、図１５、図１６に示すごとく、ブロック板素材３９を、その素材長手方向及び素材短手方向に対して傾斜した互いに平行な傾斜面にて切断する。これにより、素材雄実部３９１の一部及び素材雌実部３９２の一部を斜辺雄実部３２１及び斜辺雌実部３２２として備えた複数の木質ブロック板３を作製する。
【００４６】
なお、本形態においては、実加工後、切断前において、意匠面となる木質表層板３０３の上面に、ＵＶ塗装を行う。すなわち、紫外線硬化樹脂からなる塗料を木質表層板３０３の上面に塗布した後、紫外線を照射することによって膜を硬化させる。これにより、木質表層板３０３の表面に、塗膜を形成する。この塗膜は、透明または半透明のクリア塗膜である。
【００４７】
その後、図１５に示すごとく、ブロック板素材３９を同図に示す一点鎖線に沿って、切断する。これにより、図１６に示すごとく、複数の木質ブロック板３を得る。この段階で、木質ブロック板３は、斜辺雄実部３２１と斜辺雌実部３２２とを有する。
【００４８】
これらの木質ブロック板３を、図１７に示すごとく、互いに実接合させつつ、下地基板２（図３参照）の上面に並べて貼着する。
その後、図１８に示すごとく、複数の木質ブロック板３のブロック板側辺３１にわたり、長手方向Ｘに沿って連続して実加工を行う。これにより、木質床板１に、長辺雄実部１２１及び長辺雌実部１２２を形成する。
以上により、木質床板１を得る。
なお、図１８に示す木質床板１は、上述の第２の木質床板１ｂに相当するが、第１の木質床板１ａも、実質的に同様の製法にて得ることができる。
【００４９】
次に、本実施形態の作用効果につき説明する。
上記木質床板１において、下地基板２は、一対の基板長辺２１と、一対の基板長辺２１に対して傾斜した互いに平行な一対の基板短辺２２とを有する。そして、配列方向の両端に配された木質ブロック板３の一方のブロック板斜辺３２は、基板短辺２２に沿って配置されている。これにより、複数の木質床板１を並べて建物用床１０を構成したとき、長手方向Ｘの継ぎ目１３０（すなわち床板短辺１３同士の継ぎ目１３０）も、木質ブロック板３のブロック板斜辺３２と平行に形成されることとなる。これにより、ヘリンボーン調の模様が、木質床板１の継ぎ目１３０で分断されることを防ぐことができる。その結果、全体として、ヘリンボーン調の模様が連続的に自然に表れた、意匠性に優れた建物用床１０を得ることができる。
【００５０】
また、木質床板１は、下地基板２の上面に、複数の木質ブロック板３を配置してなる。これにより、木質床板１の上面（すなわち意匠面）に、厚みを有する複数の木質ブロック板３の表面を表出させることができる。これにより、木質床板１の意匠性を向上させやすい。
【００５１】
また、１枚の木質床板１が、複数の木質ブロック板３を備えるため、建物用床１０を施工する際、建築現場等における作業効率を向上させることができる。
また、配列方向の両端に配された木質ブロック板３の斜辺雄実部３２１と斜辺雌実部３２２が、木質床板１の短辺雄実部１３１と短辺雌実部１３２とになる。そのため、木質床板１の床板短辺１３同士の継ぎ目１３０の構造を、木質床板１内における木質ブロック板３同士の継ぎ目（表層溝部１１が形成される部分）と略同様にすることができる（図１９参照）。その結果、木質床板１の床板短辺１３同士の継ぎ目１３０が目立つことを抑制することができる。
【００５２】
また、上記建物用床１０は、木質床板１を複数枚継ぎ合わせて形成したものであるため、意匠性に優れている。
【００５３】
また、木質床板１の製造方法においては、複数の木質ブロック板３を、斜辺雄実部３２１と斜辺雌実部３２２とを実接合させつつ、下地基板２の上面に貼着する。これにより、意匠性に優れた木質床板１を容易に製造することができる。
【００５４】
長手方向Ｘに隣り合う木質ブロック板３同士の間には、表層溝部１１が形成されている。これにより、複数の表層溝部１１によって、ヘリンボーン調の模様をより際立たせることができる。その結果、木質床板１を用いた建物用床１０の意匠性をより向上させることができる。また、木質表層板３０３の木目を表層溝部１１に沿って形成することにより、木目と表層溝部１１とが相俟って、ヘリンボーン調の模様をより際立たせることができる。その結果、建物用床１０の意匠性をより向上させることができる。
【００５５】
また、建物用床１０において床板短辺１３同士の継ぎ目１３０は、その少なくとも一端において、他の継ぎ目１３０とつながらないように配置されているものとすることができる（図１０参照）。これにより、継ぎ目１３０が広範囲にわたって連続することを防ぐことができる。その結果、床板短辺１３同士の継ぎ目１３０が目立つことを一層抑制し、意匠性に優れたヘリンボーン調の建物用床１０を容易に形成することができる。
【００５６】
複数の木質ブロック板３を作製するにあたっては、長尺のブロック板素材３９の素材長辺に、実加工を施すことで、素材雄実部３９１及び素材雌実部３９２を形成した後、ブロック板素材３９を、傾斜面にて切断する（図１４〜図１６参照）。これにより、素材雄実部３９１の一部及び素材雌実部３９２の一部を斜辺雄実部３２１及び斜辺雌実部３２２として備えた複数の木質ブロック板３を作製することができる。それゆえ、斜辺雄実部３２１及び斜辺雌実部３２２の実加工を効率的かつ容易に行うことができる。その結果、意匠性に優れた木質床板１を生産性良く製造することができる。
【００５７】
以上のごとく、本実施形態によれば、意匠性に優れた木質床板及びその製造方法ならびに建物用床を提供することができる。
【００５８】
（実施形態２）
本形態は、図２０に示すごとく、複数の木質床板１の並べ方を変更した、建物用床１０の形態である。
本形態においては、床板短辺１３同士の継ぎ目１３０が、その両端において、他の継ぎ目１３０とつながらないように配置されている。すなわち、短手方向Ｙに隣り合う木質床板１同士が、長手方向Ｘにずれた状態で、接合されている。これにより、複数の継ぎ目１３０は、いずれも独立した状態で、散在することとなる。
その他の構成は、実施形態１と同様である。
【００５９】
本形態においては、継ぎ目１３０がより目立たなくなりやすい。
その他、実施形態１と同様の作用効果を有する。
【００６０】
本発明は、上記実施形態に限られるものではなく、種々の形態に適用することができる。
例えば、木質ブロック板の層構造は、上記の実施形態に示したものに限られるものではない。
【符号の説明】
【００６１】
１  木質床板
１０  建物用床
１３  床板短辺
１３１  短辺雄実部
１３２  短辺雌実部
２  下地基板
２１  基板長辺
２２  基板短辺
３  木質ブロック板
３１  ブロック板側辺
３２  ブロック板斜辺
３２１  斜辺雄実部
３２２  斜辺雌実部
【図１】
2020040314.tif 000003
【図２】
2020040314.tif 000004
【図３】
2020040314.tif 000005
【図４】
2020040314.tif 000006
【図５】
2020040314.tif 000007
【図６】
2020040314.tif 000008
【図７】
2020040314.tif 000009
【図８】
2020040314.tif 000010
【図９】
2020040314.tif 000011
【図１０】
2020040314.tif 000012
【図１１】
2020040314.tif 000013
【図１２】
2020040314.tif 000014
【図１３】
2020040314.tif 000015
【図１４】
2020040314.tif 000016
【図１５】
2020040314.tif 000017
【図１６】
2020040314.tif 000018
【図１７】
2020040314.tif 000019
【図１８】
2020040314.tif 000020
【図１９】
2020040314.tif 000021
【図２０】
2020040314.tif 000022